(57)【特許請求の範囲】
【請求項１】
絶縁性合成樹脂からなる底板部を有し、該底板部上にカード体が挿入されるカード体挿入部が形成されたハウジングと、前記カード体挿入部の内底部より突出して前記カード体に形成された信号伝達端子と接触する複数のコンタクトとを備えてなるカードコネクタにおいて、
前記コンタクトは、インサート成形により前記底板部に固定される固定片部と、一端を前記固定片部を介して前記底板部に固定される固定端とし、他端を移動可能な可動端としてなるカード体挿入方向に向けた弾性接触片部とを備えるとともに、該弾性接触片部の固定端と可動端との間に前記カード体の信号伝達端子と接触する接点部が前記カード体挿入部の内底部より浮き上がった配置に形成され、
前記底板部は、前記カード体挿入部の内底側に露出し、且つ前記可動端下に配置される被摺接面部を一体に有する金属製の被摺接部材を備え、
前記カード体をカード体挿入部に挿入した際に、前記弾性接触片が前記カード体に押圧されて弾性変形して前記可動端が前記被摺接面部に摺接し、前記弾性接触片の両端が前記底板部に支持されるようにしたことを特徴としてなるカードコネクタ。
【請求項２】
前記底板部にカード体挿抜方向に向けた長孔状の開口窓が形成され、該開口窓の内側に前記被摺接面部が配置されるように前記被摺接部材をハウジングに固定させるとともに、前記コンタクトの固定片部が前記開口窓の一端側縁部に固定され、且つ前記弾性接触片部の可動端側端部が前記開口窓の他端側且つ前記被摺接面部上に挿入された請求項１に記載のカードコネクタ。
【請求項３】
前記被摺接部材は、インサート成形により前記底板部に埋設される埋設部を一体に備えた請求項１又は２に記載のカードコネクタ。
【請求項４】
前記埋設部は、前記被摺接面部の側縁より立ち上げた立ち上がり片と、該立ち上がり片の上縁より外向きに張り出した張り出し片とを備えてなる請求項３に記載のカードコネクタ。
【請求項５】
前記コンタクトに前記被摺接部材を一体に備えた請求項１〜３又は４に記載のカードコネクタ。
【請求項６】
前記コンタクトは、前記可動端の外周側に配置された支持片部を一体に備えるとともに、前記支持片部の周縁に一体に支持させた被摺接面部用板部を備え、該被摺接面部用板部を前記支持片部の周縁より折り返して前記可動端下に前記被摺接面部を形成した請求項５に記載のカードコネクタ。
【請求項７】
前記摺接板材は、前記被摺接面部の両側縁より鉛直方向に立ち上げた形状の一対の圧入部を備え、該両圧入部を前記底板部に形成された圧入孔に圧入することにより、前記被摺接面部が前記ハウジングに固定されるようにした請求項１又は２に記載のカードコネクタ。  
【発明の詳細な説明】
【技術分野】
【０００１】
本発明は、ＩＣカードやフラッシュメモリーカード等のカード体を携帯電話機やスマートフォン等の電子機器に搭載されたプリント配線基板に接続するためのカードコネクタに関する。
【背景技術】
【０００２】
従来、携帯電話機やスマートフォン等の電子機器の外部記憶媒体としてＩＣカードやフラッシュメモリーカード等のカード体が使用されており、このカード体と電子機器に搭載されたプリント配線基板とをカードコネクタを介して電気的に接続させている。
【０００３】
この種のカードコネクタには、ＩＣカード等のカード体が挿入されるカード体挿入部を有するハウジングと、カード体挿入部の底部より突出させた弾性接触片を有する導電性金属板材からなる複数のコンタクトとを備え、カード体をカード体挿入部に挿入することで、カード体の片面側に形成された信号伝達端子（パッド）が対応するコンタクトの弾性接触片と接触し、プリント配線基板とカード体とを電気的に接続させるようになっている。
【０００４】
このようなカードコネクタに用いられるコンタクトとしては、カード体挿入方向に向けた弾性接触片のカード体挿入方向手前側端部をハウジング底部に支持させて他端接点側を底部より浮き上がらせた片持ち構造のものが広く使用され、カード体をカード体挿入部に挿入すると、カード体が弾性接触片を押圧し、弾性接触片が固定端側を支持させた状態で弾性変形するようになっている（例えば、特許文献１を参照）。
【０００５】
しかしながら、携帯電話機やスマートフォン等の電子機器の小型・低背化及びＩＣカード等のカード体自体の小型化に伴い、この種のカードコネクタにおいても小型・低背化が進み、その為、コンタクトを構成する導電性金属板材の板厚も薄くせざるを得ず、片持ち支持の弾性接触片では十分な接触圧を得るのに必要な弾性（ばね定数）を確保できない場合があった。
【０００６】
そこで、上述の如き問題を鑑み、頂部に接点部が形成されたへの字状の弾性接触片を有するコンタクトを使用し、カード体の縁部に押圧されて弾性接触片に押し下げ方向の力が作用した際に、弾性接触片がその両端をハウジングに支持させた状態で弾性変形するようにし、弾性接触片の弾性（バネ定数）の向上を図ったカードコネクタが開発されている（例えば、特許文献２を参照）。
【０００７】
このカードコネクタは、ハウジングを構成する絶縁性合成樹脂からなるモールドケースを備え、モールドケースの底板部にコンタクトがカード挿抜方向に向けて組み込まれている。
【０００８】
コンタクトは、頂部接点側を上側に向けた側面視への字状の弾性接触片を備え、弾性接触片の両端にそれぞれ両側縁部より外向きに張り出した形状の可動端部及び固定端部が一体に形成されている。
【０００９】
一方、モールドケースの底板部には、底板厚み方向に貫通した開口窓がカード体挿抜方向に向けて形成され、この開口窓のカード体挿抜方向奥側に連続して弾性接触片の可動端部が移動可能に挿入される挿入溝が形成されるとともに、開口窓のカード体挿抜方向手前側に連続し、且つモールドケース外縁部まで貫通した圧入溝が形成されている。
【００１０】
そして、モールドケース底部には、コンタクトを挿入溝側より挿入することにより、挿入溝に弾性接触片の可動端部が移動可能に挿入され、且つ圧入溝に弾性接触片の固定端部が圧入されて固定端部がモールドケース底部に固定された状態でコンタクトが組み込まれ、カード体をカード体挿入部に挿入し、カード体の縁部が弾性接触片を押圧した際に、押圧力を受けて可動端部が挿入溝底部に反力を取りつつ摺動し、押し下げ方向の力に対して両端に反力をとって弾性的に接触するようになっている。
【００１１】
尚、圧入溝には、コンタクトを圧入溝側から挿入溝側へ向けて挿入する構造上、内底部と対向配置に側縁より内側に向けて張り出した一対の張り出し部が形成され、固定端部の両側縁より張り出した係止部が圧入により内底部と張り出し部との間に挿入され、且つ、内側壁に食い込むことによりモールドケース底部に固定されるようになっている。
【００１２】
また、挿入溝には、内底部と対向配置に側縁より内側に向けて張り出した一対の肩部が形成され、可動端部の両側縁より張り出したガイド部が内底部と肩部との間に挿入され、可動端部が浮き上がり方向の移動を制限された状態で、挿入溝内を移動できるようになっている。
【先行技術文献】
【特許文献】
【００１３】
【特許文献１】特開平１１  −２５０２０２号公報
【特許文献２】特開２００８−０９７９４７号公報
【発明の概要】
【発明が解決しようとする課題】
【００１４】
しかしながら、上述の如き従来の技術では、弾性接触片の固定端部を圧入溝の張り出し部下に圧入することによりコンタクトをモールドケースに固定する構造であるので、張り出し部の肉厚が薄いと強度不足による樹脂成形部分の変形が生じる虞があり、そのために張り出し部及び溝内底部に一定の厚みを必要とし、コネクタの低背化に困難を伴うものであった。
【００１５】
特に、弾性接触片の固定端部は、圧入溝に圧入され、係止部を圧入溝両内側縁部に係合させる構造であるので、圧入溝両内側縁部に応力が残存した状態にあり、カードコネクタがリフロー半田作業等を経て加熱されるような場合、固定端部の周囲の絶縁性合成樹脂部分に変形を生じる虞があり、そのことを考慮して張り出し部及び内底部に一定の厚みを持たせる必要があった。
【００１６】
また、上述の如き従来の技術では、カード体が挿入された際に、カード体に押圧されて弾性接触片が弾性変形し、それに伴い可動端部が挿入溝底部に反力を取りつつ摺動するため、摺動する可動片部のエッジ部分に絶縁性合成樹脂からなる挿入溝内底部が削られる虞があり、また、挿入溝内底部の削られた部分に可動端が引っ掛かることで、弾性接触片の所定の挙動に支障が生じ、それに伴う弾性接触片の変形が懸念される。
【００１７】
本発明は、このような従来の問題に鑑み、低背化が可能であって、ハウジングにカード体を挿入した際にコンタクトが安定して挙動できるようにしたカードコネクタの提供を目的としてなされたものである。
【課題を解決するための手段】
【００１８】
上述の如き従来の問題を解決し、所期の目的を達成するための請求項1に記載の発明の特徴は、絶縁性合成樹脂からなる底板部を有し、該底板部上にカード体が挿入されるカード体挿入部が形成されたハウジングと、前記カード体挿入部の内底部より突出して前記カード体に形成された信号伝達端子と接触する複数のコンタクトとを備えてなるカードコネクタにおいて、前記コンタクトは、インサート成形により前記底板部に固定される固定片部と、一端を前記固定片部を介して前記底板部に固定される固定端とし、他端を移動可能な可動端としてなるカード体挿入方向に向けた弾性接触片部とを備えるとともに、該弾性接触片部の固定端と可動端との間に前記カード体の信号伝達端子と接触する接点部が前記カード体挿入部の内底部より浮き上がった配置に形成され、前記底板部は、前記カード体挿入部の内底側に露出し、且つ前記可動端下に配置される被摺接面部を一体に有する金属製の被摺接部材を備え、前記カード体をカード体挿入部に挿入した際に、前記弾性接触片が前記カード体に押圧されて弾性変形して前記可動端が前記被摺接面部に摺接し、前記弾性接触片の両端が前記底板部に支持されるようにしたことにある。
【００１９】
請求項２に記載の発明の特徴は、請求項１の構成に加え、前記底板部にカード体挿抜方向に向けた長孔状の開口窓が形成され、該開口窓の内側に前記被摺接面部が配置されるように前記被摺接部材をハウジングに固定させるとともに、前記コンタクトの固定片部が前記開口窓の一端側縁部に固定され、且つ前記弾性接触片部の可動端側端部が前記開口窓の他端側且つ前記被摺接面部の上方に挿入されたことにある。
【００２０】
請求項３に記載の発明の特徴は、請求項１又は２の構成に加え、前記被摺接部材は、インサート成形により前記底板部に一体化される埋設部を一体に備えたことにある。
【００２１】
請求項４に記載の発明の特徴は、請求項３の構成に加え、前記埋設部は、前記被摺接面部の側縁より立ち上げた立ち上がり片と、該立ち上がり片の上縁より外向きに張り出した張り出し片とを備えてなることにある。
【００２２】
請求項５に記載の発明の特徴は、請求項１〜３又は４の構成に加え、前記コンタクトに前記被摺接部材を一体に備えたことにある。
【００２３】
請求項６に記載の発明の特徴は、請求項５の構成に加え、前記コンタクトは、前記可動端部の外周側に配置された支持片部と、該支持片部と前記固定端部とを連結する連結片部とを備えるとともに、前記支持片部の周縁に一体に支持させた被摺接面部用板部を備え、該被摺接面部用板部を前記支持片部の周縁より折り返して前記可動端下に前記被摺接面部を形成したことにある。
【００２４】
請求項７に記載の発明の特徴は、請求項１又は２の構成に加え、前記摺接板材は、前記被摺接面部の両側縁より鉛直方向に立ち上げた形状の一対の圧入部を備え、該両圧入部を前記底板部に形成された圧入孔に圧入することにより、前記被摺接面部が前記ハウジングに固定されるようにしたことにある。
【発明の効果】
【００２５】
本発明に係るカードコネクタは、上述したように、絶縁性合成樹脂からなる底板部を有し、該底板部上にカード体が挿入されるカード体挿入部が形成されたハウジングと、前記カード体挿入部の内底部より突出して前記カード体に形成された信号伝達端子と接触する複数のコンタクトとを備えてなるカードコネクタにおいて、前記コンタクトは、インサート成形により前記底板部に固定される固定片部と、一端を前記固定片部を介して前記底板部に固定される固定端とし、他端を移動可能な可動端としてなるカード体挿入方向に向けた弾性接触片部とを備えるとともに、該弾性接触片部の固定端と可動端との間に前記カード体の信号伝達端子と接触する接点部が前記カード体挿入部の内底部より浮き上がった配置に形成され、前記底板部は、前記カード体挿入部の内底側に露出し、且つ前記可動端下に配置される被摺接面部を一体に有する金属製の被摺接部材を備え、前記カード体をカード体挿入部に挿入した際に、前記弾性接触片が前記カード体に押圧されて弾性変形して前記可動端が前記被摺接面部に摺接し、前記弾性接触片の両端が前記底板部に支持されるようにしたことにより、底板部の薄型化を図ることができるとともに、可動端を金属製の被摺接面部で支持することで可動端の摺動に伴う削れ塵の発生や削れによる挙動不良等を防止することができる。
【００２６】
また、本発明において、前記底板部にカード体挿抜方向に向けた長孔状の開口窓が形成され、該開口窓の内側に前記被摺接面部が配置されるように前記被摺接部材をハウジングに固定させるとともに、前記コンタクトの固定片部が前記開口窓の一端側縁部に固定され、且つ前記弾性接触片部の可動端側端部が前記開口窓の他端側且つ前記被摺接面部の上方に挿入されたことにより、コネクタ全体の低背化を図ることができるとともに、カード体挿抜時のコンタクトの変形を防止することができる。
【００２７】
更に本発明において、前記被摺接部材は、インサート成形により前記底板部に一体化される埋設部を一体に備えたことにより、ハウジング底板部の薄型化を図ることができる。
【００２８】
更にまた、本発明において、前記埋設部は、前記被摺接面部の側縁より立ち上げた立ち上がり片と、該立ち上がり片の上縁より外向きに張り出した張り出し片とを備えたことにより、被摺接面部を開口窓の内底部に配置させるとともに、弾性接触片の可動端が摺接することに伴う押圧力に対する高い耐力が得られる。
【００２９】
また、本発明において、前記コンタクトに前記被摺接部材を一体に備えたことにより、被摺接部材を容易且つ好適にハウジングの底板部に組み込むことができる。
【００３０】
更に、本発明において、前記コンタクトは、前記可動端部の外周側に配置された支持片部と、該支持片部と前記固定端部とを連結する連結片部とを備えるとともに、前記支持片部の周縁に一体に支持させた被摺接面部用板部を備え、該被摺接面部用板部を前記支持片部の周縁より折り返して前記可動端下に前記被摺接面部を形成したことにより、被摺接部材を好適にコンタクトと一体化させることができる。
【００３１】
また、本発明において、前記被摺接部材は、前記被摺接面部の両側縁より鉛直方向に立ち上げた形状の一対の圧入部を備え、該両圧入部を前記底板部に形成された圧入孔に圧入することにより、前記被摺接面部が前記ハウジングに固定されるようにしたことにより、簡素な構造で被摺接部材をハウジング底板部に組み込むことができる。
【図面の簡単な説明】
【００３２】
【図１】本発明に係るカードコネクタの第１の実施形態を示す斜視図である。
【図２】同上の下側から見た斜視図である。
【図３】カード体の一例を示す底面図である。
【図４】同上のシールドカバーを取り外した状態を示す平面図である。
【図５】同上の縦断面図である。
【図６】図４中の各コンタクト及び被摺接部材の配置を示す斜視図である。
【図７】（ａ）は同上のコンタクトを示す平面図、（ｂ）は同縦断面図である。
【図８】図１に示すカードコネクタの手前側のコンタクト部分の状態を示す部分拡大縦断面図である。
【図９】図４中の被摺接部材を示す斜視図であって、（ａ）は上から見た状態、（ｂ）は下から見た状態である。
【図１０】各コンタクト及び被摺接部材の製造課程を説明するための平面図である。
【図１１】図１中のカードコネクタにカード体を挿入した状態を示す拡大縦断面図である。
【図１２】本発明に係るカードコネクタの第２の実施形態のシールドカバーを取り外した状態を示す平面図である。
【図１３】図１２中のコンタクトを示す斜視図である。
【図１４】本発明に係るカードコネクタの第３の実施形態のシールドカバーを取り外した状態を示す平面図である。
【図１５】図１４中のコンタクト部材の配置の状態を示す斜視図である。
【図１６】本発明に係るカードコネクタの第４の実施形態のシールドカバーを取り外した状態を示す斜視図である。
【図１７】同上の下から見た斜視図である。
【図１８】同上の拡大縦断面図である。
【図１９】（ａ）は図１６中の被摺接部材を示す平面図、（ｂ）は同正面図、（ｃ）は同縦断面図である。
【発明を実施するための形態】
【００３３】
次に、本発明に係るカードコネクタの第１の実施態様を図１〜図１１に示した実施例に基づいて説明する。尚、図中符号１はカードコネクタ、符号ＡはＩＣカード等のカード体である。
【００３４】
カード体Ａは、例えば、図３に示す如きＩＣカードであって、カード全幅に比してカード全長が長い矩形状に形成され、矩形状の一方の隅部に斜め方向に切欠いた形状の位置決め部Ａａが形成されている。
【００３５】
このカード体Ａの片面には、複数の信号端子ａ１，ａ１...をカード幅方向に並べてなる一対の信号端子列がカード全長方向に間隔を置いて並列配置に形成されている。
【００３６】
カードコネクタ１は、カード体Ａが挿入されるカード体挿入部２が形成されたハウジング３と、カード体挿入部２内に突出した弾性接触片を有する２種類のコンタクト４，５とを備え、カード体Ａをカード体挿入部２に挿入することにより、カード体Ａの片面側に形成された信号伝達端子（パッド）ａ１，ａ１...が対応するコンタクト４，５と接触し、カード体Ａとプリント配線基板とをコネクタを介して電気的に接続させるようになっている。
【００３７】
ハウジング３は、絶縁性合成樹脂によってモールド成形されたモールドケース６と、その上面部、背面部及び側面部を覆う導電性金属板材からなるシールドカバー７とを組み合わせることにより、そのカード体挿入方向手前側端が開口した中空形状に形成されている。
【００３８】
モールドケース６は、図４、図５に示すように、平板状の底板部８と、底板部８の両側縁より立ち上げた側壁部９，９とを備え、底板部８上に上面側が凹んだ形状のカード体挿入部２が形成され、その上面部をシールドカバー７によって覆っている。
【００３９】
尚、一方の側壁部９には、カード体挿入方向奥側にカード体Ａをカード体挿入部２に挿入した際に、カード体Ａの位置決め部Ａａが当接される位置決め用張り出し部９ａが一体に形成されている。
【００４０】
底板部８には、カード体挿入方向奥側に底板厚み方向に貫通したカード体挿入方向に向けた複数の矩形状の奥側開口窓１０，１０...が互いに平行配置にコネクタ幅方向に並んで形成されるとともに、カード体挿入方向手前側部に底板厚み方向に貫通したカード体挿入方向に向けた複数の長孔状の手前側開口窓１１，１１...が互いに平行配置にコネクタ幅方向に並んで形成されている。
【００４１】
また、モールドケース６には、導電性金属板材をプレス加工することにより図６に示す如き配置に形成された奥側のコンタクト４，４...、手前側のコンタクト５，５...及び被摺接部材１２，１２...がインサート成形により一体的に組み込まれ、底板部８奥側の各開口窓１０，１０...の位置に合わせて各奥側のコンタクト４，４...がカード挿入方向に向け、且つ互いに平行に並べて配列され、底板部８手前側の各開口窓１１，１１...の位置に合わせて各手前側のコンタクト５，５...がカード挿入方向に向けるとともに互いに平行に並べて配列されている。尚、本実施例では、カード体Ａの信号伝達電子の数に対応させるために一方の側部に配置されたコンタクト４，５の弾性接触片部が切断により取り除かれている。
【００４２】
奥側のコンタクト４，４...は、枠状の固定片部１４と、固定片部１４の内縁より斜め上向きに切り起こした形状の弾性接触片部１５と、固定片部１４の一方の側縁より外向きに延出された基板接続端子部１６とを備え、固定片部１４が開口窓１０，１０...の内周縁部にインサート成形により埋設され、弾性接触片１５の基端部が固定片部１４を介して底板部８に支持され、弾性接触片１５の先端に形成された接点部１７が開口窓１０を通して底板部８より突出してカード体挿入部２の内底部より浮き上がった状態に配置され、弾性接触片部１５が片持ち支持されている。
【００４３】
一方、手前側のコンタクト５，５...は、図７に示すように、インサート成形により底板部８に固定される固定片部２０と、頂部に円弧状の接点部３１を配したへの字状の弾性接触片部２１とを一体に備えている。
【００４４】
固定片部２０は、矩形平板状の基部２２と、基部２２の両側部よりカード体挿入方向に向けて延出した一対のインサート部２３，２３とを備えて平面視コ字状に形成され、基部２２の両側部及び両インサート部２３，２３がインサート成形により開口窓１１，１１...の両側縁部であって、底板部８の厚み方向略中間部に埋設される。
【００４５】
各インサート部２３，２３は、カード体挿入方向に向けた細長板状に形成され、その中央部に長孔状の貫通孔２４が形成され、この貫通孔２４にインサート成形により絶縁性合成樹脂が入り込むことにより固定片部２０を強固に底板部８に固定できるようになっている。
【００４６】
基部２２には、略中央部に基部２２に切り起こし用の切れ目２５が形成され、切り起こしにより基板接続端子部２６が形成されている。
【００４７】
基板接続端子部２６は、カード体挿入方向手前側部に形成された折り目部２６ａより斜め下向きに折り曲げられた形状の斜片２６ｂと、斜片２６ｂの先端より水平方向カード体挿入側に向けた接続片２６ｃとを備え、接続片２６ｃが開口窓１０，１０...を通して底板部８の下面側に露出され、この接続片２６ｃをプリント配線基板に形成された接続パターンに半田付けするようになっている。
【００４８】
また、基部２２には、切れ目２５，２７を入れたことにより一対の連結支持部２８，２８が形成され、この連結支持部２８，２８を介して弾性接触片部２１の一端が一体に支持され、当該弾性接触片部２１の一端、即ち固定端２９が固定片部２０を介して底板部８に固定されるようになっている。
【００４９】
弾性接触片部２１は、固定端２９よりカード体挿入方向上側に向けて傾斜した形状の固定側片３０と、固定側片３０の先端側を円弧状に屈曲させた形状の接点部３１と、接点部３１の他端側よりカード体挿入方向下側に向けて傾斜した形状の可動側片３２とを備え、固定側片３０、接点部３１及び可動側片３２とをもって接点部３１を頂部とするへの字状を成すとともに、弾性接触片部２１の固定端２９と可動端３３との間にカード体Ａの信号伝達端子と接触する接点部３１が形成されている。
【００５０】
尚、固定側片３０及び可動側片３２には、それぞれカード体挿入方向に向けたスリット３０ａ、３２ａが形成されている。
【００５１】
この弾性接触片部２１は、図８に示すように、インサート成形により固定片部２０が底板部８に組み込まれることにより、固定端２９が開口窓１１，１１...内の一端側に配置され、その固定端２９より斜め上方に向けて延びる固定側片３０の接点部３１側が開口窓１１，１１...を通して底板部８内底面よりカード体挿入部２に突出し、弾性接触片部２１の固定端２９と可動端３３との間に形成された接点部３１がカード体挿入部２の内底部より浮き上がった配置に形成される。
【００５２】
また、弾性接触片部２１がへの字状に形成されたことにより、弾性接触片部２１の可動端３３側端部が開口窓１１，１１...の他端側且つ被摺接面部４０上に挿入され、固定端２９及び可動端３３が開口窓１１，１１...内に配置されることにより、カードコネクタ全体の低背化を図ることができるとともに、カード体Ａの挿抜時に弾性接触片部２１の両端、特に、可動端３３がカード体Ａの縁部に接触することによる変形を防止することができる。また、万一、誤って不適正なカード状物体が挿入された場合であっても、同様に、挿入されたカード状物体の縁部等に可動端３３が接触することによる弾性接触片部２１の変形を防止することができる。
【００５３】
被摺接部材１２，１２...は、図９に示すように、導電性金属板材をもって形成され、平板状の被摺接面部４０と、底板部８にインサート成型により埋設される埋設部４１，４１とを一体に備え、被摺接面部４０がカード体挿入部２の内底側に露出し、且つ弾性接触片部２１の可動端３３下に配置されるように底板部８に固定されている。
【００５４】
被摺接面部４０は、コネクタ幅方向に長い細長板状に形成され、インサート成形時には奥側のコンタクト４と連結片１３を介して連結されている。  
【００５５】
尚、図６中ではコンタクト４と被摺接部材１２とが切り離された状態で記載されているが、プレス加工時には、図１０（ａ）に示すようにコンタクト４と被摺接部材１２とは連結片１３を介して連続した状態にあり、インサート成形後に連結片１３を切断することにより切り離されるようになっている。
【００５６】
また、図１０（ｂ）に示すように、プレス加工後にコンタクト４，４...及び被摺接部材１２，１２...を支持させたキャリアＣ１と、コンタクト５，５...を支持させたキャリアＣ２とを互いに近づけることによりコンタクト５の弾性接触片部２１の可動端３３下に被摺接部材１２の被摺接面部４０が配置され、その状態でインサート成形がなされるようになっている。
【００５７】
埋設部４１，４１は、被摺接面部４０の側縁より立ち上げた立ち上がり片４２と、立ち上がり片４２の上縁より水平方向外向きに張り出した張り出し片４３とを備え、張り出し片４３が開口窓１１，１１...の他端部両側縁部且つ底板部８の厚み方向略中間部に埋設されることにより、被摺接面部４０が開口窓１１，１１...の内底部に配置され、開口窓１１，１１...を通してカード体挿入部２の内底側に露出し、且つ弾性接触片部２１の可動端３３下に配置される。
【００５８】
また、両張り出し片４３，４３の外側縁部には、円弧状の切欠き４４が形成され、インサート成形時にこの切欠きに絶縁性合成樹脂が入り込み、被摺接部材１２，１２...のカード挿入方向の移動が規制されるようになっている。
【００５９】
このように構成されたカードコネクタ１は、カード体Ａをカード体挿入部２に挿入すると、弾性接触片部２１の固定側片３０の上面側にカード体Ａの縁部が接触して固定端２９を基軸に弾性接触片部２１が回動し、更にカード体Ａを押し込むと弾性接触片部２１が弾性変形して可動端３３が被摺接面部４０の表面に接触し、カード体Ａによる下向きの押圧力に対して可動端３３が被摺接面部４０に反力を取りつつ被摺接面部４０を摺動する。
【００６０】
その際、被摺接面部４０が金属製であるので従来の絶縁性合成樹脂材からなる面上を摺動する場合に比して削れを防止することができ、更には、被摺接面部４０の表面に削れによる段差等が生じないので可動端３２が被摺接面部４０上をスムースに摺動でき、弾性接触片部２１が安定して動作できる。
【００６１】
そして、図１１に示すように、カード体Ａを所定の位置まで押し込むと、カード体Ａの片面側に形成された信号伝達用端子ａ１，ａ１...が対応するコンタクト４，５の接点部１７、３１とが接触し、弾性接触片部１５、２１は、カード体Ａより下向きの押圧力を受ける。
【００６２】
この押圧力に対し、弾性接触片部２１は、その一端、即ち固定端２９が固定片部２０を介して底板部８に固定され、他端、即ち可動端３３が被摺接部材１２，１２...を介して底板部８に支持されているので、両端に反力を取って、好適な接触圧で接触するようになっている。
【００６３】
このとき、被摺接部材１２は、水平方向に張り出した形状の張り出し片４３，４３を備え、この張り出し片４３，４３が底板部８に埋設されていることで、弾性接触片２１の可動端３３が摺接することに伴う押圧力に対して安定した状態で可動端３３が支持されている。
【００６４】
次に、本発明に係るカードコネクタの第２の実施態様を図１２、図１３に示す実施例に基づいて説明する。尚、上述の実施例と同様の構成には同一符号を付して説明を省略する。
【００６５】
このカードコネクタでは、手前側のコンタクト５０，５０...が被摺接部材を一体に備え、この手前側のコンタクト５０がインサート成形によりハウジング３の底板部８に組み込まれることにより、被摺接面部５１がカード体挿入部２の内底側に露出し、且つ可動端３３下に配置されるようになっている。
【００６６】
手前側のコンタクト５０は、図１３に示すように、導電性金属板材を打ち抜き・折り曲げ加工することにより形成され、インサート成形により底板部８に固定される矩形枠状の固定片部５２と、固定片部５２の内縁部に一端が固定された頂部に円弧状の接点部３１を配したへの字状の弾性接触片部２１とを一体に備えている。
【００６７】
固定片部５２は、矩形平板状の基部５３と、基部５３とカード挿入方向に間隔を置いた互いに平行配置に形成された支持片部５４と、基部５３と支持片部５４の各側部間を連結する連結片部５５，５５とを備え、基部５３、支持片部５４及び両連結片部５５，５５をもって矩形枠状を成している。
【００６８】
基部５３には、略中央部に基部５３に切り起こし用の切れ目２５が形成され、切り起こしにより基板接続端子部２６が形成されている。
【００６９】
基板接続端子部２６は、カード体挿入方向手前側部に形成された折り目部２６ａより斜め下向きに折り曲げられた形状の斜片２６ｂと、斜片２６ｂの先端より水平方向カード体挿入側に向けた接続片２６ｃとを備え、接続片が開口窓１０，１０...を通して底板部８の下面側に露出され、この接続片２６ｃをプリント配線基板に形成された接続パターンに半田付けするようになっている。
【００７０】
一方、弾性接触片部２１は、切り起こしにより固定片部５２の枠内側に形成され、上述の実施例と同様に、固定端２９よりカード体挿入方向上側に向けて傾斜した形状の固定側片３０と、固定側片３０の先端側を円弧状に屈曲させた形状の接点部３１と、接点部３１の他端側よりカード体挿入方向下側に向けて傾斜した形状の可動側片３２とを備え、固定側片３０、接点部３１及び可動側片３２とをもって接点部３１を頂部とするへの字状を成すとともに、弾性接触片部２１の固定端２９と可動端３３との間にカード体Ａの信号伝達端子と接触する接点部３１が形成されている。
【００７１】
このように弾性接触片部２１を切り起こしにより形成することにより、可動端３３のカード体挿入方向外周側に支持片部５４が配置される。
【００７２】
この支持片部５４には、カード体挿入方向奥側周縁側に被摺接面部用板部５６が一体に備えられ、この被摺接面部用板部５６を支持片部５４の周縁より下側に折り返すことにより可動端３３下に被摺接面部５１が形成されている。
【００７３】
このコンタクト５０がインサート成形により底板部８に組み込まれることにより、被摺接面部５１が開口窓１１，１１...の内底部に配置され、開口窓１１，１１...を通してカード体挿入部２の内底側に露出し、且つ弾性接触片部２１の可動端３３下に配置される。
【００７４】
そして、カード体Ａをカード体挿入部２に挿入した際に、弾性接触片部２１がカード体Ａに押圧されて弾性変形して可動端３３が被摺接面部５１に摺接し、弾性接触片部２１の両端が底板部８に支持される。
【００７５】
次に、本発明に係るカードコネクタの第３の実施態様を図１４、図１５に示す実施例に基づいて説明する。尚、上述の実施例と同様の構成には同一符号を付して説明を省略する。
【００７６】
このカードコネクタでは、ハウジング６の絶縁性合成樹脂からなる底板部８にカード体挿入方向両側部に底板厚み方向に貫通したカード体挿入方向に向けた複数の長孔状の開口窓６０，６０...が互いに平行配置にコネクタ幅方向に並べて形成された開口窓６０，６０...群がカード体挿入方向で互いに対称配置に形成されている。
【００７７】
また、モールドケース６には、図１５に示す配置の如く配置された導電性金属板材からなる一対のコンタクト部材６１，６１がインサート成形により一体的に組み込まれ、各開口窓６０，６０...の位置に合わせて各コンタクト６２がカード挿入方向に向け、且つ互いに平行に並べて配列されるとともに、被摺接部材６３が被摺接面部６４をカード体挿入部２の内底側に露出させ、且つ可動端３３下に配置させるように一体に組み込まれるようになっている。
【００７８】
コンタクト部材６１，６１は、導電性金属板材を打ち抜き・折り曲げ加工することにより形成され、コンタクト６２と相手側コンタクト用の被摺接部材６３とを一体に備え、インサート成形後にタイバーカットによりコンタクト６２と相手側コンタクト用の被摺接部材６３とが切り離されるようになっている。尚、図中符号６５はインサート成形後に切断される切断部である。
【００７９】
コンタクト６２は、インサート成形により底板部８に固定されるＬ字状の固定片部６６と、固定片部６６に一端が固定された頂部に円弧状の接点部３１を配したへの字状の弾性接触片部２１とを一体に備えている。
【００８０】
固定片部６６は、矩形平板状の基部６７と、基部６７の一方の側縁よりカード体挿抜方向に向けて延出した連結片部６８とを備え、基部６７及び連結片部６８をもってＬ字状を成している。
【００８１】
そして、インサート成形により基部６７の両側部が開口窓６０のモールドケース側縁側端部の両側縁部に埋設されるとともに連結片部６８が底板部８に埋設され、固定片部６６が底板部８に固定されている。
【００８２】
基部６７には、略中央部に基部６７に切り起こし用の切れ目２５が形成され、切り起こしにより基板接続端子部２６が形成されている。
【００８３】
基板接続端子部２６は、カード体挿入方向手前側部に形成された折り目部２６ａより斜め下向きに折り曲げられた形状の斜片２６ｂと、斜片２６ｂの先端より水平方向カード体挿入側に向けた接続片２６ｃとを備え、接続片２６ｃが開口窓６０，６０...を通して底板部８の下面側に露出され、この接続片２６ｃをプリント配線基板に形成された接続パターンに半田付けするようになっている。
【００８４】
また、基部６７には、切れ目２５を入れたことにより一対の連結支持部２８，２８が形成され、この連結支持部２８，２８を介して弾性接触片部２１の一端が一体に支持され、当該弾性接触片部２１の一端、即ち固定端２９が固定片部６６を介して底板部８に固定されるようになっている。
【００８５】
弾性接触片部２１は、上述の第１の実施例と同様に、固定端２９よりカード体挿入方向上側に向けて傾斜した形状の固定側片３０と、固定側片３０の先端側を円弧状に屈曲させた形状の接点部３１と、接点部３１の他端側よりカード体挿入方向下側に向けて傾斜した形状の可動側片３２とを備え、固定側片３０、接点部３１及び可動側片３２とをもって接点部３１を頂部とするへの字状を成すとともに、弾性接触片部２１の固定端２９と可動端３３との間にカード体Ａの信号伝達端子と接触する接点部３１が形成されている。
【００８６】
被摺接部材６３は、平板状の被摺接面部６４と、被摺接面部６４の一方の側縁部よりコンタクト６２側に向けて延出した連結片部６９とを一体に備え、被摺接面部６４と連結片部６９とをもってＬ字状をなしている。
【００８７】
そして、コンタクト６２の連結片部６８と被摺接部材６３の連結片部６９とが切断部６５を介してインサート成形前には互いに連続し且つ一体に形成されている。
【００８８】
そして、この一対のコンタクト部材６１，６１をカード体挿抜方向で互いに対称且つ一方の被摺接面部６４が他方のコンタクト６２の可動端３３下に位置するように配置し、その状態でモールド成形を行うことにより、被摺接面部６４が開口窓６０，６０...の内底部に配置され、開口窓６０，６０...を通してカード体挿入部２の内底側に露出し、且つ弾性接触片部２１の可動端３３下に配置される。
【００８９】
また、インサート成形後に切断部６５を切断し、除去することにより、各コンタクト部材６１，６１のコンタクト６２と被摺接部材６３とが切り離されて絶縁される。
【００９０】
このように構成されたカードコネクタは、カード体Ａをカード体挿入部２に挿入した際に、弾性接触片部２１がカード体Ａに押圧されて弾性変形して可動端３３が被摺接面部６４に摺接し、弾性接触片部２１の両端が底板部８に支持される。
【００９１】
尚、上述の各実施例では、被摺接部材をインサート成形によりモールドケース６の底板部８に一体的に組み込んだ例について説明したが、図１６〜図１９に示すように被摺接部材７０を圧入により固定するようにしてもよい（第４の実施態様）。尚、上述の実施例と同様の構成には、同一符号を付して説明を省略する。
【００９２】
このカードコネクタでは、モールドケース６の底板部８にカード体挿入方向両側部に底板厚み方向に貫通したカード体挿入方向に向けた複数の長孔状の開口窓７１，７１...が互いに平行配置にコネクタ幅方向に並べて形成された開口窓群がカード体挿入方向で互いに対称配置に形成されている。
【００９３】
また、底板部８には、導電性金属板材からなるコンタクト７２がインサート成形により一体的に組み込まれ、各開口窓７１，７１...の位置に合わせて各コンタクト７２がカード挿入方向に向け、且つ互いに平行に並べて配列されている。
【００９４】
コンタクト７２は、へ字状に形成された弾性接触片部７３を備え、その一方の端部に一体に形成された固定片部７４が開口窓７１の底板部側縁側縁部にインサート成形により埋設される。尚、図中符号７５は固定片部７４より外側に向けて延出された基板接続端子部である。
【００９５】
一方、底板部８の下面部には、開口窓７１の中央側端位置に合わせて窪み部７６が形成され、この窪み部７６の各開口窓７１を挟んで両側部に底板部８を厚み方向で貫通させた一対の圧入孔７７，７７が形成されている。
【００９６】
そして、この窪み部７６に被摺接部材７０の被摺接面部７８が嵌り込むことにより、被摺接面部７８が各開口窓７１の内底部に配置され、開口窓７１を通してカード体挿入部２の内底側に露出し、且つ弾性接触片部７３の可動端７３ａ下に配置されるようになっている。
【００９７】
この被摺接部材７０は、図１９に示すように、導電性金属板材を打ち抜き・折り曲げ加工することにより形成され、平板状の被摺接面部７８と、被摺接面部７８の両側縁より立ち上げた一対の圧入片部７９，７９とを一体に備えている。
【００９８】
圧入片部７９は、矩形状に形成され、その両側縁より突出させた係止突起８０，８０を備えている。
【００９９】
この圧入片部７９，７９を、開口窓７１の両側縁部に形成された圧入孔７７，７７に底板部８下面側より圧入し、係止突起８０，８０を圧入孔７７の内縁に食い込ませることにより、被摺接部材７０を底板部８に固定するとともに、窪み部７６に被摺接面部７８が嵌り込み、被摺接面部７８が各開口窓７１の内底部に配置される。
【０１００】
尚、上述の実施例では、カード体ＡとしてＩＣカードを例として挙げたが、その他フラッシュメモリーカード等のメモリーカードであってもよく、また、カードを収容したカードトレイやカードアダプタであってもよい。
【符号の説明】
【０１０１】
Ａ  カード体
Ｃ  キャリア
１  カードコネクタ
２  カード体挿入部
３  ハウジング
４  コンタクト
５  コンタクト
６  モールドケース
７  シールドカバー
８  底板部
９  側壁部
１０  開口窓
１１  開口窓
１２  被摺接部材
１３  連結片
１４  固定片部
１５  弾性接触片
１６  基板接続端子部
１７  接点部
２０  固定片部
２１  弾性接触片部
２２  基部
２３  インサート部
２４  貫通孔
２５  切れ目
２６  基板接続端子部
２７  切れ目
２８  連結支持部
２９  固定端
３０  固定側片
３１  接点部
３２  可動側片
３３  可動端
４０  被摺接面部
４１  埋設部
４２  立ち上がり片
４３  張り出し片
４４  切欠き
５０  コンタクト
５１  被摺接面部
５２  固定片部
５３  基部
５４  支持片部
５５  連結片部
５６  被摺接面部用板部
６０  開口窓
６１  コンタクト部材
６２  コンタクト
６３  被摺接部材
６４  被摺接面部
６５  切断部
６６  固定片部
６７  基部
６８  連結片部
６９  連結片部
７０  被摺接部材
７１  開口窓
７２  コンタクト
７３  弾性接触片部
７４  固定片部
７５  基板接続端子部
７６  窪み部
７７  圧入孔
７８  被摺接面部
７９  圧入片部
８０  係止突起
【図１】
0005382385.tif 000002
【図２】
0005382385.tif 000003
【図３】
0005382385.tif 000004
【図４】
0005382385.tif 000005
【図５】
0005382385.tif 000006
【図６】
0005382385.tif 000007
【図７】
0005382385.tif 000008
【図８】
0005382385.tif 000009
【図９】
0005382385.tif 000010
【図１０】
0005382385.tif 000011
【図１１】
0005382385.tif 000012
【図１２】
0005382385.tif 000013
【図１３】
0005382385.tif 000014
【図１４】
0005382385.tif 000015
【図１５】
0005382385.tif 000016
【図１６】
0005382385.tif 000017
【図１７】
0005382385.tif 000018
【図１８】
0005382385.tif 000019
【図１９】
0005382385.tif 000020